(57)【要約】  【課題】  配管内を流れるガスから異物を分離し、かつ、ガスから分離された少量の異物を容易に回収する。【解決手段】  異物除去器は、異物貯留槽１０と流入管１２と流出管１４とを備える。流入管１２はガス流入路８０を有する。ガス流入路８０をガスが通過する。流入管１２は異物貯留槽１０に接続される。流出管１４はガス流出路８２を有する。ガス流出路８２をガスが通過する。流出管１４は、ガス流入路８０から異物貯留槽１０へ入るガスの流入方向に対して異物貯留槽１０からガス流出路８２へ出るガスの流出方向が鋭角をなすよう異物貯留槽１０に接続される。【選択図】      図１
2014035015.tif 000002
【特許請求の範囲】
【請求項１】
ガス中の異物を除去する異物除去器であって、
異物貯留槽と、
ガスが通過するガス流入路を有し、かつ、前記異物貯留槽に接続される流入管と、
前記ガスが通過するガス流出路を有しており、かつ、前記ガス流入路から前記異物貯留槽へ入る前記ガスの流入方向に対して前記異物貯留槽から前記ガス流出路へ出る前記ガスの流出方向が鋭角をなすよう前記異物貯留槽に接続される流出管とをさらに備えることを特徴とする異物除去器。
【請求項２】
前記異物貯留槽が、
容器部と、
前記容器部に接続される蓋部とを有しており、
前記蓋部が、
前記流入管が接続される流入管接続部と、
前記流出管が接続される流出管接続部とを有していることを特徴とする請求項１に記載の異物除去器。
【請求項３】
前記容器部が、
底部と、
前記底部の周りを取り囲む側壁部とを有しており、
前記ガス流入路が前記底部に対向しており、
前記流出管接続部が前記流入管接続部と同一面上に設けられていることを特徴とする請求項２に記載の異物除去器。
【請求項４】
前記蓋部に異物を抜取るための異物抜取孔が設けられていることを特徴とする請求項２又は請求項３に記載の異物除去器。
【請求項５】
前記異物が水であり、
前記流出管接続部が、前記ガス流出路に連通する連通流出口を有し、
前記容器部に収容され水に浮く封鎖体と、
前記封鎖体を前記連通流出口へ誘導する軌道体とをさらに備えており、
前記異物貯留槽が、前記連通流出口と前記封鎖体との間をシールするシール材をさらに有していることを特徴とする請求項２ないし請求項４のいずれか１項に記載の異物除去器。
【請求項６】
前記軌道体が、前記封鎖体を取り囲むよう配置される複数の棒材を有することを特徴とする請求項５に記載の異物除去器。
【発明の詳細な説明】
【技術分野】
【０００１】
本発明は異物除去器に関する。
【背景技術】
【０００２】
特許文献１はガス管内水排出方法を開示する。このガス管内水排出方法はガス管内にたまった水をガス管外へ排出する方法である。このガス管内水排出方法は、次の工程を備える。第１の工程は、吸引装置（ガス管内のガスを吸引する装置）が接続される工程である。吸引装置は、流量絞り部を介して地上開口部に接続される。第２の工程は、吸引装置がガス管内を吸引する工程である。この工程においてガス管内から水が吸引される。
【０００３】
特許文献１に開示されたガス管内水排出方法によれば、ガス管内のガス圧に対する影響を抑えながら、大量の水をガス管外へ排水できる。
【先行技術文献】
【特許文献】
【０００４】
【特許文献１】特開平９−２６４４９９号公報
【発明の概要】
【発明が解決しようとする課題】
【０００５】
特許文献１に開示されたガス管内水排出方法には、ガス管に大量の水が溜まらなければ吸引装置が水を吸引できないという問題点がある。ガス管に大量の水が溜まっていると、ガスの供給は妨げられる。また、ガスに含まれている水分は管及び継手の腐食の原因となる。水以外の不純物もガス管に悪影響を及ぼすことがある。本発明は、この問題点を解消するためになされたものである。その目的は、配管内を流れるガスから異物を分離でき、かつ、ガスから分離された少量の異物を容易に回収できる異物除去器を提供することにある。
【課題を解決するための手段】
【０００６】
図面を参照し本発明の異物除去器を説明する。なおこの欄で図中の符号を使用したのは発明の内容の理解を助けるためである。この欄で図中の符号を使用することには発明の内容を図示した範囲に限定する意図がない。
【０００７】
上述した目的を達成するために、本発明のある局面に従うと、異物除去器はガス中の異物を除去する。異物除去器は、異物貯留槽１０と流入管１２と流出管１４とを備える。流入管１２はガス流入路８０を有する。ガス流入路８０をガスが通過する。流入管１２は異物貯留槽１０に接続される。流出管１４はガス流出路８２を有する。ガス流出路８２をガスが通過する。流出管１４は、ガス流入路８０から異物貯留槽１０へ入るガスの流入方向に対して異物貯留槽１０からガス流出路８２へ出るガスの流出方向が鋭角をなすよう異物貯留槽１０に接続される。
【０００８】
流出管１４が上に異物貯留槽１０が下になるように異物除去器が配置され、かつ、その異物除去器がガス管に接続されると、異物貯留槽１０に一度入ったガスはそこから出るまでに上昇する。ガスが上昇する途中で、そのガスに含まれている異物が沈降する。異物が沈降することにより、ガスから異物が分離する。ガス流入路８０から異物貯留槽１０へ入るガスの流入方向に対して異物貯留槽１０からガス流出路８２へ出るガスの流出方向が鋭角をなしていると、異物貯留槽１０に一度入ったガスが出るまでにガスの流れの向きは大きく変わる。ガスの流れの向きが大きく変わることで、ガスからの異物の分離が促進される。ガスから分離した異物は異物貯留槽１０の内部に溜まる。異物貯留槽１０の内部に異物が溜まるので、ガス管内に異物が溜まる場合に比べ、異物が溜まる箇所が集中することとなる。異物が溜まる箇所が集中するので、その異物の回収は少量でも容易に回収できる。
【０００９】
また、上述した異物貯留槽１０が、容器部２０と、蓋部２２とを有していることが望ましい。蓋部２２は容器部２０に接続される。蓋部２２が、流入管接続部４０と、流出管接続部４２とを有している。流入管接続部４０には、流入管１２が接続される。流出管接続部４２には、流出管１４が接続される。
【００１０】
流入管接続部４０と流出管接続部４２とを蓋部２２が有しているので、予め設置された異物貯留槽１０へ流入管１２と流出管１４とを接続することが可能になる。その結果、異物除去器の設置作業を容易化できる。
【００１１】
もしくは、上述した容器部２０が、底部６０と、側壁部６２とを有していることが望ましい。側壁部６２は、底部６０の周りを取り囲む。この場合、ガス流入路８０が底部６０に対向している。流出管接続部４２が流入管接続部４０と同一面上に設けられている。
【００１２】
ガス流入路８０が底部６０に対向し、かつ、流出管接続部４２が流入管接続部４０と同一面上に設けられていると、異物貯留槽１０内でのガスの流路はＵ字型になる。流路がＵ字型になるので、異物が沈降しやすくなる。
【００１３】
もしくは、上述した蓋部２２に、異物を抜き取るための異物抜取孔４４，４６が設けられていることが望ましい。
【００１４】
異物抜取孔４４，４６が設けられていると、その異物抜取孔４４，４６を介して異物を抜き取ることが容易になる。
【００１５】
もしくは、上述した異物が水であることが望ましい。この場合、流出管接続部４２が、連通流出口５０を有していることが望ましい。連通流出口５０は、ガス流出路８２に連通する。この場合、異物除去器が、封鎖体１６と、軌道体１８とをさらに備えている。封鎖体１６は、容器部２０に収容される。封鎖体１６は、水に浮く。軌道体１８は、封鎖体１６を連通流出口５０へ誘導する。異物貯留槽１０がシール材２４をさらに有している。シール材２４は、連通流出口５０と封鎖体１６との間をシールする。
【００１６】
異物貯留槽１０内に異物として水が溜まると封鎖体１６が浮く。浮いた封鎖体１６は、軌道体１８によって連通流出口５０へ誘導される。連通流出口５０と封鎖体１６との間はシール材２４によってシールされる。これにより、異物が異物貯留槽１０からあふれることが防止される。
【００１７】
もしくは、上述した軌道体１８が、複数の棒材７０を有することが望ましい。棒材７０は、封鎖体１６を取り囲むよう配置される。
【発明の効果】
【００１８】
本発明によれば、配管内を流れるガスから異物を分離でき、かつ、ガスから分離された少量の異物を容易に回収できる。
【図面の簡単な説明】
【００１９】
【図１】本発明の実施形態にかかる異物除去器の正面図である。
【図２】本発明の実施形態にかかる異物除去器の平面図である。
【図３】図１のＡ−Ａ断面図である。
【図４】本発明の実施形態にかかる蓋部の平面図である。
【図５】図３の拡大図である。
【発明を実施するための形態】
【００２０】
以下、図面を参照しつつ、本発明の実施形態について説明する。以下の説明では、同一の部品には同一の符号を付してある。それらの名称及び機能も同一である。したがって、それらについての詳細な説明は繰返さない。
【００２１】
［構造の説明］
図１は、本実施形態にかかる異物除去器の正面図である。図１において、異物除去器の一部は取り除かれている。図２は、本実施形態にかかる異物除去器の平面図である。図３は、図１のＡ−Ａ断面図である。図１ないし図３に基づいて、本実施形態にかかる異物除去器の構成が説明される。
【００２２】
本実施形態にかかる異物除去器は、異物貯留槽１０と、流入管１２と、流出管１４と、封鎖体１６と、軌道体１８と、離脱防止板１９とを備える。流入管１２は異物貯留槽１０に接続される。流入管１２はガス流入路８０を有する。ガス流入路８０をガスが通過する。そのガスは異物貯留槽１０に入る。流出管１４も異物貯留槽１０に接続される。流出管１４はガス流出路８２を有する。ガス流出路８２をガスが通過する。そのガスが異物貯留槽１０の外へ出る。後述するように、本実施形態の場合、異物貯留槽１０からガス流出路８２へ出るガスの流出方向（矢印１０２方向）は、ガス流入路８０から異物貯留槽１０へ入るガスの流入方向（矢印１００方向）と平行である。封鎖体１６は水に浮くような軽い物体である。これにより、異物貯留槽１０の中に水が溜まると封鎖体１６はその水に浮く。本実施形態の場合、封鎖体１６の形状は球形である。軌道体１８は、水に浮いた封鎖体１６を後述する箇所へ誘導する。離脱防止板１９は、軌道体１８の一端に取付けられている。異物貯留槽１０の中に十分水が溜まっていないとき、封鎖体１６は離脱防止板１９の上に載っている。
【００２３】
異物貯留槽１０は、容器部２０と、蓋部２２と、シール材２４と、固定ナット２６と、座金２８とを有している。
【００２４】
水その他の異物は容器部２０の中に溜まる。この異物は、ガス流入路８０を通過して異物貯留槽１０に入ったガスに含まれていたものである。容器部２０は、底部６０と側壁部６２とを有している。底部６０の周りを側壁部６２の一端が取り囲んでいる。本実施形態の場合、容器部２０と蓋部２２とは一体となっている。
【００２５】
蓋部２２は側壁部６２の他端に接続される。これにより、側壁部６２の他端によって形成された容器部２０の開口が塞がれる。
【００２６】
シール材２４は、蓋部２２に取付けられる。固定ナット２６はシール材２４を蓋部２２に固定する。座金２８はシール材２４と固定ナット２６との間に挟まれる。
【００２７】
図４は、本実施形態にかかる蓋部２２の平面図である。図１ないし図４に基づいて、本実施形態にかかる蓋部２２の構成が説明される。
【００２８】
本実施形態の場合、蓋部２２は平板状の部材によって構成されている。蓋部２２は、流入管接続部４０と、流出管接続部４２と、第１異物抜取孔４４と、第２異物抜取孔４６とを有する。流入管接続部４０に流入管１２が接続される。流入管１２が流入管接続部４０に接続されることにより、流入管１２は容器部２０の底部６０に対向することとなる。流出管接続部４２に流出管１４が接続される。したがって、本実施形態の場合、流出管接続部４２と流出管１４との接続箇所における異物貯留槽１０からガス流出路８２へ出るガスの流出方向（矢印１０２方向）は、流入管接続部４０と流入管１２との接続箇所におけるガス流入路８０から異物貯留槽１０へ入るガスの流入方向（矢印１００方向）と平行である。流出管接続部４２は連通流出口５０を有している。連通流出口５０は、容器部２０の内部とガス流出路８２とを連通させる。連通流出口５０の縁にシール材２４が固定される。第１異物抜取孔４４を周知の管が貫通する。この管は容器部２０の底部６０に溜まった水その他の異物を吸引するためのものである。第２異物抜取孔４６を周知の管が貫通する。この管も容器部２０の底部６０に溜まった水その他の異物を吸引するためのものである。
【００２９】
軌道体１８は、複数の（本実施形態の場合は４本の）棒材７０によって構成されている。これらの棒材７０は、シール材２４を貫通するように、連通流出口５０の縁に固定されている。封鎖体１６はこれらの棒材７０によって取り囲まれている。これらの棒材７０同士の間隔は、封鎖体１６の外径よりも狭い。水に浮いた封鎖体１６は、これらの棒材７０に沿って移動する。その結果、水に浮いた封鎖体１６は、軌道体１８により連通流出口５０へ誘導される。
【００３０】
［使用方法の説明］
本実施形態にかかる異物除去器の使用方法は以下の通りである。本実施形態にかかる異物除去器は、ガス流路の途中に設けられる。ガス管路は周知なので、ここではその詳細な説明は繰返されない。ガス管路を流れているガスは流入管１２内のガス流入路８０に入る。ガス流入路８０を通過したガスは容器部２０の内部に入る。容器部２０の内部に入ったガスは、流出管１４のガス流出路８２へ流出する。ガスがガス流出路８２へ流出する際、ガスに含まれている水分その他の異物は容器部２０の内部にとどまる。これにより、ガス流出路８２へ流出するガス中の異物がガスから除去される。容器部２０の内部にとどまった異物は底部６０の上に溜まる。
【００３１】
容器部２０の中に水が溜まってくると、その水により封鎖体１６が浮かぶ。浮かんだ封鎖体１６は軌道体１８に誘導される。軌道体１８に誘導された封鎖体１６は次第に連通流出口５０へ向かう。容器部２０の中に十分水が溜まると、封鎖体１６は、連通流出口５０を塞ぐ。その際、シール材２４によって、連通流出口５０と封鎖体１６との間がシールされる。これにより、水がガス流出路８２へ流出することは防止される。
【００３２】
容器部２０内部の水をはじめとした異物は、第１異物抜取孔４４、及び、第２異物抜取孔４６から抜き取られる。水をはじめとした異物が抜き取られると、封鎖体１６は連通流出口５０から離れる。これにより、異物除去器は再度使用可能となる。
【００３３】
［本実施形態にかかる異物除去器の効果］
本実施形態にかかる異物除去器はガス流路の途中に設けられる。本実施形態にかかる異物除去器の中には異物が溜まる。異物除去器の中に異物が溜まるので、ガス流路の広い区間にわたって異物が溜まることは回避される。ガス流路の広い区間にわたって異物が溜まることが回避されるので、ガスから異物をこまめに分離できる。その異物が容器部２０に溜まるので、その少量の異物を容易に回収できる。
【００３４】
<変形例の説明>
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００３５】
例えば、異物貯留槽１０からガス流出路８２へ出るガスの流出方向（矢印１０２方向）は、ガス流入路８０から異物貯留槽１０へ入るガスの流入方向（矢印１００方向）に対して平行となっていなくともよい。流出管１４は、ガス流入路８０から異物貯留槽１０へ入るガスの流入方向に対して異物貯留槽１０からガス流出路８２へ出るガスの流出方向が鋭角をなすよう異物貯留槽１０に接続されておればよい。本明細書において、鋭角とは０ラジアン以上π／２ラジアン未満の角度のことである。この場合も、流出管１４が上に異物貯留槽１０が下になるように異物除去器が配置され、かつ、その異物除去器がガス管に接続されると、異物貯留槽１０に一度入ったガスはそこから出るまでに上昇する。ガスが上昇する途中で、そのガスに含まれている異物が沈降する。異物が沈降することにより、ガスから異物が分離する。言うまでもないことであるが、異物貯留槽１０が流出管１４の真下になるように異物除去器が配置される必要はない。異物貯留槽１０が流出管１４の斜め下になるように異物除去器が配置される場合にも、上述したような作用が生じ得る配置であれば、異物除去器による異物の分離は可能である。この場合、軌道体１８によって形成される封鎖体１６の誘導路はガスの流出方向に対して傾いていることが好ましい。封鎖体１６は水に浮くことで移動する。軌道体１８は水の浮力を利用して封鎖体１６を連通流出口５０へ誘導する。その結果、封鎖体１６の誘導路がガスの流出方向と並行であるよりもガスの流出方向に対して傾いている方が封鎖体１６を連通流出口５０へスムーズに誘導できる場合があるためである。
【符号の説明】
【００３６】
１０      ：異物貯留槽
１２      ：流入管
１４      ：流出管
１６      ：封鎖体
１８      ：軌道体
１９      ：離脱防止板
２０      ：容器部
２２      ：蓋部
２４      ：シール材
２６      ：固定ナット
２８      ：座金
４０      ：流入管接続部
４２      ：流出管接続部
４４      ：第１異物抜取孔
４６      ：第２異物抜取孔
５０      ：連通流出口
６０      ：底部
６２      ：側壁部
７０      ：棒材
８０      ：ガス流入路
８２      ：ガス流出路
１００，１０２    ：矢印
【図１】
2014035015.tif 000003
【図２】
2014035015.tif 000004
【図３】
2014035015.tif 000005
【図４】
2014035015.tif 000006
【図５】
2014035015.tif 000007